(57)【特許請求の範囲】
【請求項１】
コイン投入型装置のためのコインボックスにおいて、
前記コインボックス（１１）が前面の取出し口（４１）を備える筐体（３４）を含み、前記取出し口（４１）にスライドドア（４７）が割り当てられ、前記コインのための支持床（４８）が前記筐体（３４）の内部に配置され、前記支持床（４８）が前記筐体（３４）の後方壁（３６）から前記取出し口（４１）の方向に傾斜しており、前記スライドドア（４７）が前記筐体（３４）の対向する側壁（３５）の領域に取り付けられ、前記スライドドア（４７）を案内するために、曲げ部分（５３）が、両側において関連する前記側壁（３５）に平行かつこれから離間して延在するように形成されており、前記スライドドア（４７）が、両側において、前記曲げ部分（５３）を包み込む多重曲げフランジ（５６）であって、前記曲げ部分（５３）と前記側壁（３５）との間にある隙間の間まで延在している多重曲げフランジ（５６）を有することを特徴とするコインボックス。
【請求項２】
請求項１に記載のコインボックスにおいて、
前記スライドドア（４７）に、前記取出し口（４１）を閉じるその位置にロックするために、キーで作動されるロック（５７）が割り当てられていることを特徴とするコインボックス。
【請求項３】
請求項１に記載のコインボックスにおいて、
前記筐体（３４）が鋼板から製造され、直方体の形状に構成され、前記取出し口（４１）が前記筐体（３４）の前面（３９）のその床領域に形成され、かつ前記筐体（３４）が、前記取出し口（４１）の上方に配置され、相互に並べて、および／または上下に配置された複数の離間された穴（４６）を有するフロントパネル（３８）を有することを特徴とするコインボックス。
【請求項４】
請求項１乃至３の何れか１項に記載のコインボックスにおいて、
前記スライドドアの上側および下側の終端位置の範囲がそれぞれの止め具（４９）によって限定されることを特徴とするコインボックス。
【請求項５】
請求項１乃至４の何れか１項に記載のコインボックスにおいて、
前記スライドドア（４７）が上側において、自由上縁（５１）で変形加工により形成される取っ手（５０）を有し、前記スライドドアの自由下縁（５２）が二重折り返し部（６１）を有することを特徴とするコインボックス。
【請求項６】
請求項１に記載のコインボックスにおいて、
前記取出し口（４２）が、前記筐体（３４）の前面（３９）の床領域において形成されて、前記取出し口（４２）の上方に配置されたフロントパネル（３８）を有しており、前記筐体（３４）がベース（４０）を含み、前記ベース（４０）は前記前面で、前記取出し口（４２）の下縁（４２）を形成し、前記フロントパネル（３８）に平行に、閉じた状態で前記スライドドア（４７）と重なることができるように配置されたフットパネル（４３）につながり、前記後方壁（３６）に向かってカバー（３７）の方向に延び、前記筐体（３４）の全幅にわたって延びる前記支持床（４８）が前記フットパネル（４３）から出て、前記後方壁（３６）に割り当てられたタブ（６２）上に保持されることを特徴とするコインボックス。
【請求項７】
請求項２に記載のコインボックスにおいて、
前記筐体（３４）が、前面でフットパネル（４３）につながるベース（４０）を有して、前記フットパネル（４３）が前記取出し口（４１）の下縁（４２）を形成しており、前記ロック（５７）が前記筐体（３４）の側壁（３５）に配置され、前記ロック（５７）に割り当てられたロッキングボルト（５８）が前記フットパネル（４３）を貫通し、前記スライドドア（４７）の凹部（６０）の中に入って、前記スライドドア（４７）を、前記取出し口（４１）を閉じる位置にロックすることを特徴とするコインボックス。
【請求項８】
請求項１乃至７の何れか１項に記載のコインボックスにおいて、
供給口（６３）と、前記筐体（３４）の前記前面（３９）まで延びる隙間（４４）とが前記カバー（３７）に形成され、前記隙間（４４）が、手がその中に入る大きさであり、かつ、一体の取っ手（４５）の一部であることを特徴とするコインボックス。
【請求項９】
請求項１乃至８の何れか１項に記載のコインボックスにおいて、
前記コインボックス（１１）が、さらに、集金袋用のホルダを備えることを特徴とするコインボックス。
【請求項１０】
請求項１乃至９の何れか１項に記載のコインボックス（１１）が収容された装置筐体（３３）を備えることを特徴とするゲーミングマシン。
【請求項１１】
請求項１０に記載のゲーミングマシンにおいて、
前記コインボックス（１１）が前記装置筐体（３３）の中に取り外し可能に据え付けられることを特徴とするゲーミングマシン。
【請求項１２】
請求項１０または１１に記載のゲーミングマシンにおいて、
前記コインボックス（１１）が、コイン通路を介して、前記装置筐体（３３）のフレーム（５）に割り当てられた筐体側部のコイン挿入スロット（１２）に接続されるコイン受入ユニットの下流に配置されることを特徴とするゲーミングマシン。
【請求項１３】
請求項１０乃至１２の何れか１項に記載のゲーミングマシンにおいて、
前記装置筐体（３３）がその前面において、前記装置筐体（３３）に反対向きに旋回可能に配置された上側および下側フロントフラップ（１６、１７）により閉鎖可能であることを特徴とするゲーミングマシン。
【請求項１４】
請求項１３に記載のゲーミングマシンにおいて、
前記上側フロントフラップ（１６）が、ゲームシーケンスを表示するための少なくとも１つの表示装置を有し、および／または前記下側フロントフラップ（１７）が、ゲームシーケンスを制御するための操作要素（２６）を備えるコンソール（２１）を有し、前記少なくとも１つの表示装置、前記操作要素（２６）および貨幣処理装置がゲームシーケンスコントローラ（９）に接続されることを特徴とするゲーミングマシン。
【発明の詳細な説明】
【技術分野】
【０００１】
本発明は、コイン投入型装置のためのコインボックスであって、前面取出し口を備える筐体を有するコインボックスと、コインボックスが収容される装置筐体を備えるゲーミングマシンとに関する。
【０００２】
一般に装置内に固定して据え付けられるか、装置の一体部分であるコインボックスを備える装置が実際に知られている。コインボックスは、直方体の形状に構成された空洞により形成されることが多い。概して、コインボックスの中身の回収は面倒であることがわかっており、なぜなら、貨幣を手でコインボックスからコインボックスの取出し口の前に配置された回収容器の中に移さなければならないからであり、この回収容器は一般に集金袋として設計され、手で取出し口の前に保持される。取出し口は、旋回可能に配置されたドアまたはフラップにより閉じることができる。ドアおよび／またはフラップを開き、コインを取り出し、回収容器を保持するのを同時に行うことは困難でありえ、これは特に、コインがドアまたはフラップを開けた途端にコインボックスから出てくるものの、前記コインボックスの中身は完全には出ないからである。
【０００３】
国際公開第２００５／０９０  ７３１  Ａ１号パンフレットおよび米国特許第３  ８３６  ０６９  Ａ１号明細書はどちらも、前面取出し口を備える筐体を含むコインボックスを開示している。取出し口にはドアが割り当てられ、これは筐体の前面に横方向に旋回可能に取り付けられる。コインのための複数の支持床が筐体の内部に配置され、支持床は筐体の対向する側壁から筐体の中央の方向に傾斜する。取出し口はコインボックスの筐体の中央のその前面に形成される。
【０００４】
本発明は、冒頭に記載した種類のコインボックスとゲーミングマシンとを提供するという目的に基づくものであり、このコインボックスとゲーミングマシンとは修理点検作業がしやすく、したがって取り扱いが簡単なように構成される。
【０００５】
本発明によれば、この目的は独立請求項の特徴により達成される。
【０００６】
従属請求項は本発明の有利な改良形態を構成する。
【０００７】
コイン投入型装置のためのコインボックスの場合、コインボックスは前面取出し口を備える筐体を含み、取出し口にはスライドドアが割り当てられ、コインのための支持床が筐体の内部に配置され、支持床は筐体の後方壁から取出し口の方向に傾斜している。
【０００８】
本発明に関連して、コインとは、対応する貨幣だけでなく、トークンまたはその他のトークンコイン、チップもしくはその他も同様に意味すると理解するべきである。したがって、コインボックスもまた、単に貨幣を受けるためだけのものではなく、例えば無秩序に積み重ねられて存在するトークン、チップ、またはその他のトークンコインを貯めることもできる。
【０００９】
もちろん、コインボックスはまた、貨幣、トークンコインまたはその他により作動するあらゆる所望の装置に配置できる。これは、特に貨幣投入型ゲーミングマシン、自動販売機またはコインが回収されるその他の支払装置、例えば支払動作が行われた後に通行を許可する通行ゲートを意味すると理解するべきである。
【００１０】
さらに、コインボックスを金庫のように構成することも除外されないが、コインボックスがそれに対応する筐体への不正侵入またはアクセスから保護されている場合、またはコインボックスが収容された装置が例えば監視員により監視されている場合、そのような堅固な設計の重要性は低くなる。
【００１１】
本発明によるコインボックスの支持床は、筐体の内部の中間床として配置することができる。支持床の傾斜面によって形成される坂により、コインボックスの中にあるコインは、スライドドアが開けられると取出し口を通って外に滑り出る。したがって、コインボックスの中身を回収する修理点検要員が手を使ってコインボックスを空にする必要がなく、その代わりにコインはその自重によって、後方壁から筐体の前面の方向に傾斜する支持床の傾斜面を介して外部へと通過する。さらに、スライドドアは簡単に継続的に開けることができ、旋回式に連結されたドアまたはフラップと異なり、ロックを解除した後に内側から作用するコインボックス内に存在するコインの圧力により急に開くことがない。それゆえ、スライドドアにより、コインボックスの修理点検作業、すなわち特にその中身の回収も容易となる。
【００１２】
コインボックス内のコインの硬貨を不正なアクセスから保護するために、スライドドアには、取出し口を閉じるその位置にロックするために、適切な態様として、キーで作動されるロックが割り当てられる。
【００１３】
展開形態において、筐体は鋼板から製造され、直方体の形状に構成され、取出し口が筐体の前面のその床領域に形成され、かつ筐体は好ましくは、取出し口の上方に配置され、相互に並べて、および／または上下に配置された複数の離間された穴を有するフロントパネルを有する。フロントパネルに、特に正幅がコインボックス内に収集されるコインのうちの最小のものより小さい穴が設けられている場合、修理点検要員はコインボックス内のコインの堆積レベルを直ちに特定でき、その回収が必要か否かを判断できる。穴は必ずしも丸い設計でなくてもよく、スロット形の開口部または多角形、例えば正方形、五角形もしくは六角形の形状の穴もまた提供できる。さらに、コインがコインボックスから出るのを防止するために、透明な構成要素で穴の裏打ちを行うことが可能である。鋼板自体は、コインボックスをこじ開け難くする強度を有しうる。
【００１４】
スライドドアは好ましくは筐体の対向する側壁の領域に取り付けられ、前記スライドドアの上側および上側の終端位置の範囲はそれぞれの止め具によって限定される。止め具が作動された後、スライドドアは筐体に捕捉的に保持される。
【００１５】
スライドドアを案内するために、それぞれ関連する側壁に平行に延び、それから離間された曲げ部分が好ましくは両側に形成され、スライドドアは両側に、曲げ部分を包み込み、曲げ部分と側壁との間にある隙間の中まで延びる多重曲げフランジを有する。スライドドアおよび筐体の案内手段を構成するために、追加の案内要素は必ずしも配置しなくてよい。両側の案内手段はスライドドアまたは筐体と一体に、相応の変形加工によって形成できる。さらに、曲げ部分は、コインボックスをこじ開け難くするために、工具の係合面ができるだけ小さくなるような方法で構成される。さらに、長手方向側のフランジは、その高さにわたるスライドドアの安定化を実現し、この安定化は撓みを防止する。
【００１６】
相応の形状にすることによってスライドドアをその幅にわたり安定化させるために、スライドドアは有利には上側において、上縁で好ましくは変形加工により形成される取っ手を有し、前記スライドドアの自由下端は二重の折り返し部を有する。
【００１７】
適切な態様として、筐体はベースを含み、ベースは前面で、取出し口の下縁を形成し、フロントパネルに平行に、閉じた状態でスライドドアと重なることができるように配置されたフットパネルにつながり、後方壁に向かってカバーの方向に延び、筐体の全幅にわたって延びる支持床がフットパネルから出て、好ましくは後方壁に割り当てられたタブ上に保持される。フットパネルおよびフロントパネルは同一平面内に配置され、スライドドアを前記平面内で移動させて、取出し口を開閉する。ベースは、筐体内のガイドおよび／または固定具と相互作用してコインボックスを筐体内の所定の位置に任意選択により取り外し可能に設置するか、またはこれを固定する要素を有することができる。筐体内の中間床として配置された支持床は実質的にフットパネルとタブとの間に保持される。
【００１８】
改良形態では、ロックが筐体の側壁に配置され、ロックに割り当てられたロッキングボルトがフットパネルを貫通し、スライドドアの凹部の中に入って、スライドドアを、取出し口を閉じる位置にロックする。ロッキングボルトは完全に筐体内に配置され、外からアクセスできない。前記ロッキングボルトは、ロックと反対側のその自由端面のみ外部に突出し、スライドドアの外側前面からわずかに突き出る。
【００１９】
適切な態様として、供給口と、筐体の前面まで延びる隙間とがカバーに形成され、隙間は、手がその中に入る大きさであり、かつ、一体の取っ手の一部である。取っ手によってコインボックスを装置から取り外す時にそれを扱いやすくなる。供給口は、コインボックスにコインを入れる役割を果たし、コイン通路、例えばコイン受入ユニットに接続できる。さらに、供給口を内側から、例えばばね式閉鎖装置および／またはラビリンスによってコインが外に出ないように保護することが可能である。
【００２０】
修理点検要員がコインボックスの中身を回収する時に、例えばスライドドアを開けるのに手を使うことができるようにするために、集金袋のためのホルダが提供される。スライドドアを開ける前に集金袋を筐体に固定することができ、それによって、その後スライドドアを開けて、貨幣がコインボックスから支持床を介して集金袋へと滑り出るようにする。
【００２１】
ゲーミングマシンは、前述のコインボックスが収容された装置筐体を備える。
【００２２】
頻繁に硬貨により動作するゲーミングマシンにはコインボックスが備えられ、これは修理点検要員による中身の回収が容易であり、装置筐体に固定して、または取り外し可能に据え付けられる。取り外し可能なコインボックスの場合、これは装置筐体側面の案内要素によってゲーミングマシンの中に収容できる。さらに、修理点検要員は、中身を回収するべきコインボックスを空のコインボックスと交換でき、それによってゲーミングマシンをごく短時間で再び動作させることができる。中身を回収するべきコインボックスは、一般の人のいない修理点検または現金出納係の部屋で中身を出すことができ、コインをさらに処理するために、例えば計数および／または選別機へと供給できる。
【００２３】
適切な態様として、コインボックスは、コイン通路を介して、好ましくは装置筐体のフレームに割り当てられた筐体側部のコイン挿入スロットに接続されるコイン受入ユニットの下流に配置される。
【００２４】
修理点検要員がコインボックスに簡単に到達できるようにするために、装置筐体は好ましくは、その前面において、少なくとも１つの上側および／または下側フロントフラップにより、好ましくは、装置筐体に反対向きに旋回可能に配置された上側および下側フロントフラップにより閉鎖可能である。フロントフラップを旋回させることによって装置筐体を開けると、ゲーミングマシンの内部に自由にアクセスでき、修理点検要員は対応する構成部品、特にコインボックスに容易に到達できる。
【００２５】
さらに好ましい改良形態において、上側フロントフラップは、ゲームシーケンスを表示するための少なくとも１つの表示装置、好ましくはスクリーンを有し、および／または下側フロントフラップは、ゲームシーケンスを制御するための操作要素を備えるコンソールを有し、表示装置、操作要素および／または貨幣処理装置はゲームシーケンスコントローラに接続される。
【００２６】
言うまでもなく、上記の特徴と後述する特徴とはそれぞれ明記された組合せだけでなく、異なる組合せでも使用できる。本発明の範囲は特許請求の範囲によってのみ定義される。
【００２７】
以下に、関連する図面を参照しながら、例示的な実施形態を使って本発明をより詳しく説明する。
【図面の簡単な説明】
【００２８】
【図１】図１は、本発明によるコインボックスを備えるゲーミングマシンの正面図を示す。
【図２】図２は、図１によるゲーミングマシンの、フロントフラップを開いた状態の斜視図を示す。
【図３】図３は、取出し口が閉じているコインボックスの斜視図を示す。
【図４】図４は、取出し口が閉じている、図３によるコインボックスの断面図を示す。
【図５】図５は、取出し口が開いている、図３によるコインボックスの断面図を示す。
【発明を実施するための形態】
【００２９】
ゲーミングマシン３２は装置筐体３３を含み、これは縦型筐体１として設計され、湾曲したフレーム部３を備える上側頭部２と、その端面においてフレーム５が割り当てられる２つの対向する側壁４と、後方から照明可能なカバーパネル７を備える直立土台６と、当然ながら後方壁８と、を有する。貨幣処理ユニット１０に連結されたゲームシーケンスコントローラ９が縦型筐体１の中に収容され、貨幣処理ユニット１０は、コイン受入ユニット（具体的には図示せず）と、コインボックス１１と、コイン支払ユニットと、を含む。コイン受入ユニットは、関連するフレーム５の背後に収容されたコインシャフトを介して、フレーム５に取り付けられたコイン挿入スロット１２に接続される。返却ボタン１３がフレーム５のコイン挿入スロット１２の下に配置される。バーの形態で構成され、縦型筐体１の前面の全幅にわたって延びるフットレスト１５が、直立土台６とゲーミングマシン３２の縦型筐体１のベースプレート１４との間に提供される。
【００３０】
縦型筐体１を閉じるために、上側フロントフラップ１６と下側フロントフラップ１７とが提供され、前記フロントフラップは、頭部２の直下とベースプレート１４の直上で縦型筐体１内の、それに対応するヒンジによって反対向きに旋回可能となるように連結される。さらに、フロントフラップ１６、１７の旋回を容易にし、それを開いた位置に確実に保つそれぞれの制振要素１８が縦型筐体１の側壁４と、上側フロントフラップ１６との間および下側フロントフラップ１７との間に延びる。
【００３１】
上側フロントフラップ１６には２つのスクリーン１９が収容され、これらは上下に配置され、ゲームのコンテンツおよび／またはその他の視覚的に認識可能なコンテンツを表示する役割を果たし、ゲームシーケンスコントローラ９に接続される。スクリーン１９は、特にＴＦＴ、および／またはＬＥＤおよび／またはＯＬＥＤおよび／またはプラズマディスプレイまたはその他、必要に応じて構成できる。縦型筐体１が閉じた状態にある時、すなわち上側フロントフラップ１６と下側フロントフラップ１７が畳まれて、フレーム５間にある時、下側フロントフラップ１７の縁辺が上側フロントフラップ１６の自由な下側部分２０と重複し、ロッキング機構が有効となり、ロッキング機構は、下側フロントフラップ１７のコンソール２１に挿入され、縦型筐体１の対向する側壁４の相手側ロッキング部品２３と相互作用し、ロック２４に接続されるロッキング部品２２を含む。
【００３２】
コンソール２１が閉じた状態の下側フロントフラップ１７の上縁に配置され、その前面から突出し、使用者がその上に手を載せることができるようになっている。コンソール２１の略中央には複数の操作要素２６があり、これらは押しボタンスイッチ２５として設計され、照明要素（図示せず）を備える。操作要素および／または照明要素を制御するため、またデータと信号の交換のために、ゲームシーケンスコントローラ９は制御装置を含み、これはマスタに接続され、これが２ワイヤコネクタ２７を介して、スレーブとして設計される操作要素２６および／または照明要素とリアルタイムで通信する。コンソール２１には、片側の操作要素２６の横に貨幣排出受け皿２８が収容され、これは下側フロントフラップ１７が閉じている状態の時、コイン用スロット２９を介して貨幣処理ユニット１０に動作可能に接続され、反対側には紙幣挿入／紙幣排出受け皿３０があり、これは紙幣スロットを有し、下側フロントフラップ１７が閉じている状態の時、縦型筐体１に収容された紙幣処理ユニット３１に接続され、紙幣処理ユニット３１は例えば紙幣ボックスおよび／またはディスペンサを含み、ゲームシーケンスコントローラ９に接続される。
【００３３】
反対向きに旋回可能となるように配置されたフロントフラップ１６、１７によって、縦型筐体１を素早く開くことができ、ゲーミングマシンの据付や修理またはゲーミングマシンやその構成部品、特に紙幣処理ユニット３１および／または硬貨用の貨幣処理ユニット１０または硬貨もしくは紙幣用の関連するボックスおよび／またはディスペンサの修理点検が比較的実行しやすい。
【００３４】
コインボックス１１は筐体３４を含み、これは実質的に直方体の形状であり、平行に配置され、相互に離間された２つの側壁３５と、後方壁３６と、カバー３７と、カバー３７と反対のベース４０と、を含む。前面において、カバー３７がフロントパネル３８へと延び、これが筐体３４の前面３９の一部の領域を占め、筐体３４の全幅にわたる取出し口４１がフロントパネル３８とベース４０の方向に隣接する。取出し口４１の下縁４２はフットパネル４３により形成され、これはベース４０から直角に延び、フロントパネル３８と同一平面内にある。
【００３５】
カバー３７は供給口６３を含み、これはゲーミングマシンの中でその下に配置されるコイン受入ユニットと、コインがコイン挿入スロット１２を通ってコイン受入ユニットを介してコインボックス１１へと通過できるような動作可能な関係にある。筐体３４の中のコインの堆積レベルを確認するために、フロントパネルには複数の穴があり、これらは相互に関してずらして上下に配置され、穴４６として設計され、その大きさはコインボックス１１が受ける最小のコインより小さい。さらに、筐体３４の前面３９へと延びる隙間４４がカバー側に形成され、前記隙間４４はそこに手を入れられる大きさであり、筐体３４を構成する金属板を変形させることによって実質的に製造される一体の取っ手４５の一部である。
【００３６】
取出し口４１の下縁から、カバー３７の方向に斜めに延びる支持床４８が筐体３４の全幅にわたって後方壁３５まで延び、そこに前記支持床がタブ６２によって保持される。筐体３４内の支持床４８によって形成される傾斜面により、筐体３４の中にあるコインは取出し口４１へと滑り、これを通過して外に出る。
【００３７】
取出し口４１を開閉するために、スライドドア４７が前面３９に配置され、前記スライドドア４７は、取出し口４１を開いた時のその上側終端位置と取出し口を閉じた時のその下側終端位置の範囲がそれぞれの止め具４９によって限定される。スライドドア４７は上側に取っ手５０を有し、これは自由上縁５１で繰り返し外側に曲げることによって形成される。スライドドア４７の自由下縁５２は、二重折り返し部６１を有する。取っ手５０と折り返し部６１は、スライドドア４７をその幅にわたり安定させる。スライドドア４７を移動可能に取り付けるために、各側壁３５は前面において曲げ部分５３を有し、これは側壁の全高にわたって延び、側壁３５から垂直に外側に出て、折り返されて側壁３５に平行に延びる部分５５において隙間５４を形成する。多重曲げフランジ５６がスライドドア４７の対向する長手方向側に提供され、前記フランジ５６は側壁３５の曲げ部分５５を包み込み、部分５５とこれに関連する側壁３５との間にある隙間５４に係合する。案内機能に加えて、スライドドア４７の全高にわたるフランジ５６はまた、撓みに対する相応の安定化ももたらす。
【００３８】
スライドドア４７を、取出し口４１を閉じる端位置に固定するために、キーで作動されるロック５７が側壁３５に収容され、ベース領域で案内される関連するロッキングボルト５８と相互作用するロック５７はフットパネル４３を貫通し、その自由端５９がスライドドア４７のそれに対応する凹部６０の中に入っている状態にあり、それによってスライドドア４７が取出し口４１を閉じるその下端位置にロックされる。
【符号の説明】
【００３９】
１  縦型筐体
２  頭部
３  フレーム部
４  側壁
５  フレーム
６  直立土台
７  カバーパネル
８  後方壁
９  ゲームシーケンスコントローラ
１０  貨幣処理ユニット
１１  コインボックス
１２  コイン挿入スロット
１３  返却ボタン
１４  ベースプレート
１５  フットレスト
１６  上側フロントフラップ
１７  下側フロントフラップ
１８  制振要素
１９  スクリーン
２０  １６の一部
２１  コンソール
２２  ロッキング部品
２３  相手側ロッキング部品
２４  ロック
２５  押しボタンスイッチ
２６  操作要素
２７  ２ワイヤコネクタ
２８  貨幣排出受け皿
２９  スロット
３０  紙幣挿入／紙幣排出受け皿
３１  紙幣処理ユニット
３２  ゲーミングマシン
３３  装置筐体
３４  １１の筐体
３５  ３４の側壁
３６  ３４の後方壁
３７  ３４のカバー
３８  フロントパネル
３９  前面
４０  ベース
４１  取出し口
４２  ４１の下縁
４３  フットパネル
４４  隙間
４５  取っ手
４６  穴
４７  スライドドア
４８  支持床
４９  止め具
５０  取っ手
５１  上縁
５２  下縁
５３  曲げ部分
５４  隙間
５５  部分
５６  フランジ
５７  ロック
５８  ロッキングボルト
５９  ５８の端
６０  凹部
６１  折り返し
６２  タブ
６３  供給口
【図１】
0006259466.tif 000002
【図２】
0006259466.tif 000003
【図３】
0006259466.tif 000004
【図４】
0006259466.tif 000005
【図５】
0006259466.tif 000006